(57)【要約】【課題】熱伸縮する配管を壁面に対して隙間なく配置できる構造とすることで、確実な固定を行うことができる。【解決手段】配管３，３同士の間に接続され、熱伸縮の吸収用として用いられる伸縮継手１０であって、長さ方向の中間部分に交差部を形成する円環状のループ形状部１１を有し、長さ方向の両端のうち一方の第１接続端部１２と、ループ形状部１１との間の第１直線部１４には、両接続端部１２、１３のそれぞれにおける管芯Ｃ１、Ｃ２が、平面視でループ形状部１１のループ円中心軸Ｏに直交する平面Ｆ内に位置するように湾曲させた屈曲部Ｋが設けられた構成の伸縮継手を提供する。【選択図】図１
2015197122.tif 000002
【特許請求の範囲】
【請求項１】
配管同士の間に接続され、熱伸縮の吸収用として用いられる伸縮継手であって、
長さ方向の中間部分に交差部を形成する円環状のループ形状部を有し、
長さ方向の両端のうち一方の接続端部と、前記ループ形状部との間の直線部には、両接続端部のそれぞれにおける管芯が、平面視で前記ループ形状部のループ円中心軸に直交する平面内に位置するように湾曲させた屈曲部が設けられていることを特徴とする伸縮継手。
【請求項２】
請求項１に記載の伸縮継手を設置対象となる壁面に設置される配管構造であって、
前記ループ形状部を挟んだ両側の前記直線部が前記壁面に接した状態で配設され、該直線部が前記壁面に対して固定具によって摺動自在に支持されていることを特徴とする配管構造。
【発明の詳細な説明】
【技術分野】
【０００１】
本発明は、配管の熱伸縮吸収用として、特に給湯配管の途中に設けられる伸縮継手及び配管構造に関するものである。
【背景技術】
【０００２】
従来、配管途中に設けられる伸縮継手として、例えば特許文献１に記載のような螺旋状のもの、Ｕ形状に曲げた形状のもの、あるいは図４（特許文献１の図８）に示すようなループ形状部９１の両端に、ループ形状部９１の接線方向と平行な向きで接続端部９２が形成されたものが一般に知られている。
特許文献１には図４に示した伸縮継手の課題を解決するものとして、伸縮能力をもつように螺旋形に形成された螺旋部の両端に、螺旋の中心軸と平行な向きで接続端部が形成された伸縮継手について開示されている（特許文献１の図１、図６）。
【先行技術文献】
【特許文献】
【０００３】
【特許文献１】特開平５−６９４８１号公報
【発明の概要】
【発明が解決しようとする課題】
【０００４】
しかしながら、従来の伸縮継手では、以下のような問題があった。
すなわち、特許文献１の図１及び図６に開示された形状では、壁面平面に対して水平方向の配管スペースが狭い場合においてループ形部がコンパクトなため壁面における収まりを改善することができたが、螺旋部分が壁面平面から垂直方向に対して大きく飛び出すため、壁面平面に対して垂直方向の配管スペースが狭い場合には使用することができなかった。
一方、図４に示すループ形状部９１を有する伸縮継手９では、両端の接続端部９２、９２のそれぞれの管芯Ｃ１、Ｃ２の位置が管の直径分（図４の符号Ｄ）だけずれているため、片側の管路９３Ｂ（図６で紙面左側）と壁面９４との間に隙間Ｓが発生し、サドルバンド９５による固定が困難となり十分な支持ができない。そのため、サドルバンド９５と壁面９４との間にスペーサ９６を設ける必要があり、位置決めに時間がかかる等、作業効率が悪いという問題があった。
【０００５】
また、上記のようなスペーサ９６を設けずに、配管９３Ａ、９３Ｂを壁面９４側に向けて無理に曲げてサドルバンド９５で固定すると、無理に曲げた配管部分において熱伸縮が阻害されるという問題があった。しかも、無理に配管を曲げていることによる復元力が生じているうえ、上述したように壁面との固定が不十分であるために、ウォーターハンマ等の影響による配管に暴れが生じると、配管が壁面から外れるおそれがあった。
【０００６】
本発明は、上述する問題点に鑑みてなされたもので、熱伸縮する配管を壁面に対して隙間なく配置できる構造とすることで、確実な固定を行うことができる伸縮継手及び配管構造を提供することを目的とする。
【課題を解決するための手段】
【０００７】
上記目的を達成するため、本発明に係る伸縮継手は、配管同士の間に接続され、熱伸縮の吸収用として用いられる伸縮継手であって、長さ方向の中間部分に交差部を形成する円環状のループ形状部を有し、長さ方向の両端のうち一方の接続端部と、前記ループ形状部との間の直線部には、両接続端部のそれぞれにおける管芯が、平面視で前記ループ形状部のループ円中心軸に直交する平面内に位置するように湾曲させた屈曲部が設けられていることを特徴としている。
【０００８】
また、本発明に係る配管構造は、上述した伸縮継手を設置対象となる壁面に設置される配管構造であって、前記ループ形状部を挟んだ両側の前記直線部が前記壁面に接した状態で配設され、該直線部が前記壁面に対して固定具によって摺動自在に支持されていることを特徴としている。
【０００９】
本発明では、両接続端部のそれぞれの管芯が平面視でループ形状部のループ円中心軸に直交する平面内に位置しているので、両接続端部を壁面に対して接するように配置させることができる。そして、接続端部に接続される熱伸縮する配管を壁面に沿って隙間なく配置させることができるので、サドルバンド等の固定具を使用して配管を壁面に対して摺動可能に固定することができる。このように、配管が壁面に沿って設けられ固定具により確実に固定され、その固定が外れ難くなり、配管の振れを抑えられるので、振れによって生じる配管の損傷を防ぐことが可能となる。
【００１０】
また、この場合、伸縮継手に接続される熱伸縮が生じる配管を無理に曲げた部分が無いので、配管に生じる熱伸縮が阻害されることがなくなり、配管の熱伸縮を伸縮継手によってスムーズ且つ確実に吸収することができる。
さらに、本発明では、ループ形状部の径寸法が変化して配管の伸縮を吸収し、このループ形状部の変形が伸縮継手の配置高さの範囲内で収まることから、コンパクト化を図ることができる。
【発明の効果】
【００１１】
本発明の伸縮継手及び配管構造によれば、熱伸縮する配管を壁面に対して隙間なく配置できる構造とすることで、確実な固定を行うことができる。
【図面の簡単な説明】
【００１２】
【図１】本発明の実施の形態による伸縮継手を備えた配管構造を示す側面図である。
【図２】図１に示す配管構造を下から見た平面図である。
【図３】変形例による配管構造の平面図であって、図２に対応する図である。
【図４】従来の伸縮継手を備えた配管構造を示す側面図である。
【発明を実施するための形態】
【００１３】
以下、本発明の実施の形態による伸縮継手及び配管構造について、図面に基づいて説明する。
【００１４】
図１及び図２に示すように、本実施の形態の配管構造１は、設置対象となる天井及び壁の壁面２に設置され、熱伸縮の吸収用として用いられる伸縮継手１０を備え、その伸縮継手１０の両端を給水管などの配管３、３に連結される構成となっている。なお、本実施の形態の配管構造１は、給水管・給湯管を対象とし、配管３が内部を流通する加熱水（温水）の熱によって管軸方向に熱伸縮が生じるものである。
【００１５】
伸縮継手１０は、長さ方向の中間部分に１箇所の交差部Ｐを形成する円環状のループ形状部１１を有している。長さ方向の両端のうち一方の第１接続端部１２と、ループ形状部１１との間の第１直線部１４には、両接続端部１２、１３のそれぞれにおける管芯（第１管芯Ｃ１、第２管芯Ｃ２）が、平面視でループ形状部１１のループ円中心軸Ｏに直交する平面Ｆ（図１に示す二点鎖線）内に位置するように湾曲させた屈曲部Ｋが設けられている。
【００１６】
第１接続端部１２及び第２接続端部１３は、受け口加工（加熱軟化させた状態で拡径させる方向へ押し広げる加工）されており、第１管芯Ｃ１及び第２管芯Ｃ２が同軸線上に位置している。
【００１７】
屈曲部Ｋは、ループ形状部１１から第１接続端部１２の第１管芯Ｃ１に合わせるように略Ｓ状に曲げられて形成され、配管３が熱により伸張したとき（図１及び図２の矢印Ｘ方向）にループ形状部１１に干渉しない離れた位置に設けられている。
【００１８】
伸縮継手１０の管長は、配管３の熱伸縮量に応じて設定されるもので、配管３の端部３ａ同士が最も近接した位置から端部３ａ同士が最も離間した位置までの変形に対応できるように設定されている。また、伸縮継手１０の太さ、ループ形状部１１の径及び長さ、屈曲部Ｋの屈曲角度、長さ寸法は、配管３の熱伸縮量により異なってくるが、繰り返しの変形にも耐えられるように設定される。
【００１９】
このように構成される伸縮継手１０を備えた配管構造１は、ループ形状部１１を挟んだ両側の第１直線部１４及び第２直線部１５が壁面２に接した状態で配設され、これら直線部１４、１５が壁面２に対してサドルバンド４（固定具）によって摺動自在に支持されている。サドルバンド４は、略Ｕ状をなし、その湾曲面に配管３を支持した状態で壁面２に対してビス等で固定される周知のものを使用することができる。
【００２０】
次に、以上説明した構成の伸縮継手及び配管構造の作用効果について、図面を使用して説明する。
図１及び図２に示すように、本実施の形態の配管構造１を壁面２に設ける場合には、ループ円中心軸Ｏに直交する前記平面Ｆが壁面２に平行となる向きで、両端の接続端部１２、１３が壁面２に接するようにして伸縮継手１０を配置し、接続端部１２、１３をそれぞれ配管３に接続する。その後、配管３における伸縮継手１０の両接続端部１２、１３に近い位置で、サドルバンド４を使用して壁面２に固定する。
【００２１】
このような配管構造１において、配管３が矢印Ｘ方向に熱によって伸長すると、ループ形状部１１の円環径が大きくなり、配管３が収縮すると円環径が小さくなるように変形する。
このように、本実施の形態の伸縮継手１０は、ループ形状部１１の径寸法が変化して配管３の伸縮を吸収し、このループ形状部１１の変形が伸縮継手１０の配置高さＨ（図１参照）の範囲内で収まることから、コンパクト化を図ることができる。
【００２２】
本実施の形態では、第１接続端部１２及び第２接続端部１３のそれぞれの管芯Ｃ１、Ｃ２が平面視でループ形状部１１のループ円中心軸Ｏに直交する平面Ｆ内に位置しているので、両接続端部１２、１３を壁面２に対して接するように配置させることができる。そして、接続端部１２、１３に接続される熱伸縮する配管３を壁面２に沿って隙間なく配置させることができるので、サドルバンド４を使用して配管３を壁面２に対して摺動可能に固定することができる。
このように、配管３が壁面２に沿って設けられサドルバンド４により確実に固定され、その固定が外れ難くなり、配管３の振れを抑えられるので、振れによって生じる配管３の損傷を防ぐことが可能となる。
【００２３】
また、この場合、伸縮継手１０に接続される熱伸縮が生じる配管３を無理に曲げた部分が無いので、配管３に生じる熱伸縮が阻害されることがなくなり、配管３の熱伸縮を伸縮継手１０によってスムーズ且つ確実に吸収することができる。
【００２４】
上述のように本実施の形態による伸縮継手及び配管構造では、熱伸縮する配管３を壁面２に対して隙間なく配置できる構造とすることで、確実な固定を行うことができる。
【００２５】
以上、本発明による伸縮継手及び配管構造の実施の形態について説明したが、本発明は上記の実施の形態に限定されるものではなく、その趣旨を逸脱しない範囲で適宜変更可能である。
【００２６】
例えば、上述の本実施の形態では、伸縮継手１０における第１接続端部１２及び第２接続端部１３の第１管芯Ｃ１及び第２管芯Ｃ２が同軸線上に位置しているが、この位置に限定されることはない。例えば、図３に示すように、第１管芯Ｃ１及び第２管芯Ｃ２の位置が同軸線上でなく、前述した平面Ｆ内でずれた位置であっても良い。要は、第１管芯Ｃ１及び第２管芯Ｃ２が平面視でループ形状部１１のループ円中心軸Ｏに直交する平面Ｆ内に位置していれば良いのである。
【００２７】
その他、本発明の趣旨を逸脱しない範囲で、上記した実施の形態における構成要素を周知の構成要素に置き換えることは適宜可能である。
【符号の説明】
【００２８】
１  配管構造
２  壁面
３  配管
４  サドルバンド（固定具）
１０  伸縮継手
１１  ループ形状部
１２  第１接続端部
１３  第２接続端部
１４  第１直線部
１５  第２直線部
Ｃ１  第１管芯
Ｃ２  第２管芯
Ｆ  平面
Ｋ  屈曲部
Ｏ  ループ円中心軸
【図１】
2015197122.tif 000003
【図２】
2015197122.tif 000004
【図３】
2015197122.tif 000005
【図４】
2015197122.tif 000006